(57)【要約】【課題】  電線端末に対する電線端末保護具の装脱着作業が簡単で作業能率を向上させると共に、ゴム締着部材のリサイクル性を向上させる電線端末保護具を提供する。【解決手段】  筒形に形成され、内部に電線端末１３を挿入して保護する筒体１１と、前記筒体１１に設けられ、電線端末１３を保持する保持体１５とを備え、前記保持体１５が筒体１１の端部１１ａから延出する腕部１９と、その背面に突設され、電線端末１３を締着するゴム締着部材２３を係止する係止突起部２１とを有する電線端末保護具において、前記係止突起部２１が、腕部１９の背面に立設された脚片２５と、脚片２５に横設され、両端にゴム締着部材２３を係止する係止鍔２９と中間にゴム締着部材２３を通すスリット３１を有する桁片２７とを組み合わせて略π型に形成され、前記ゴム締着部材２３が前記係止突起部２１の脚片２５間の空間部３３に係止されて、保持体１５に取り付けられる。【選択図】        図１
2006172793.tif 000002
【特許請求の範囲】
【請求項１】
端部が開口して筒形に形成され、前記端部から電線端末を挿入して保護する筒体と、前記筒体に設けられ、電線端末を筒体に保持する保持体とを備え、前記保持体が筒体の前記端部から延出する腕部と、その腕部の背面に突設され、電線端末を締着するゴム締着部材を係止する係止突起部とを有する電線端末保護具において、前記保持体の係止突起部が、腕部の背面に立設された脚片と、脚片に横設され、両端にゴム締着部材を係止する係止鍔と中間にゴム締着部材を通すスリットを有する桁片とを組み合わせて略π型に形成され、前記ゴム締着部材が前記係止突起部の脚片間の空間部に係止されて、前記保持体に取り付けられることを特徴とする電線端末保護具。
【請求項２】
前記筒体が透明又は半透明樹脂を成形して他方の端部が閉塞された有底状の筒形に形成され、筒壁に電線端末の挿入位置を示すけがき線が設けられていることを特徴とする請求項１記載の電線端末保護具。
【請求項３】
前記保持体における係止突起部の桁片が筒体側とは逆方向に反った形状に形成されていることを特徴とする請求項１記載の電線端末保護具。
【発明の詳細な説明】
【技術分野】
【０００１】
本発明は、例えば、ワイヤハーネスの組立作業時において、電線端末を保護するための電線端末保護具に関するものである。
【背景技術】
【０００２】
従来、例えば、ワイヤハーネスの組立工程においては、絶縁被覆を剥がして露出させた電線端末の芯線（導体）や、これに取り付けた端子（ターミナル）を一時的に保護するために、その電線端末に柔軟なビニール袋を被せたりしていた。ところが、使用後のビニール袋の再使用が容易でなく、廃棄処分する必要があり、手数を要する問題があった。
【０００３】
そこで、図６に示すように、少なくとも一方の端部１ａが開口して筒形に形成され、前記端部１ａから予めゴム締着部材２によって締着されている電線端末３を挿入して保護する筒体１と、前記筒体１に設けられ、電線端末３を筒体１に保持する保持体４とを備え、前記保持体４が筒体１の前記端部１ａから筒体１の軸方向に延出する腕部５と、その腕部５の背面に突設され、電線端末３を締着するゴム締着部材２を係止する係止突起部６とを有する電線端末保護具において、前記保持体４の係止突起部６が電線端末３を筒体１に挿入する方向において上流側が低くなると共に、下流側にゴム締着部材２を係止可能な肩部６ａを有して略矢尻状に形成されている電線端末保護具が提案されている（特許文献１参照）。
【０００４】
この電線端末保護具を用いて電線端末３を保護する場合には、電線端末３を束ねてゴム締着部材２で締着した後、その電線端末３を筒体１に前記端部１ａから矢印方向に挿入し、その挿入動作によって、ゴム締着部材２に保持体４の略矢尻状に形成された係止突起部６を挿通し、係止突起部６の肩部６ａにゴム締着部材２を係止させて筒体１に電線端末３を保持することにより行う。
【０００５】
【特許文献１】特許第３４３０８４２号公報
【発明の開示】
【発明が解決しようとする課題】
【０００６】
従来の電線端末保護具によると、電線端末３のゴム締着部材２による締着と電線端末３の電線端末保護具の筒体１への保持とを別々に行う必要があるので、電線端末３に対する電線端末保護具の装脱着作業が煩雑で、作業能率が低下する問題がある。
【０００７】
また、電線端末３から電線端末保護具を脱着する際、電線端末３に締着されたゴム締着部材２を除去するのが面倒で傷付き易く、ゴム締着部材２のリサイクル性が低下し、電線端末保護具の再利用が容易でない問題がある。
【０００８】
本発明は上記に鑑み生まれたもので、電線端末に対する電線端末保護具の装脱着作業が簡単で作業能率を向上させると共に、ゴム締着部材のリサイクル性を向上させ、電線端末保護具の再利用を推進ことができる電線端末保護具を提供することを目的とするものである。
【課題を解決するための手段】
【０００９】
上記目的を達成するために、本発明の請求項１に記載された電線端末保護具は、端部が開口して筒形に形成され、前記端部から電線端末を挿入して保護する筒体と、前記筒体に設けられ、電線端末を筒体に保持する保持体とを備え、前記保持体が筒体の前記端部から延出する腕部と、その腕部の背面に突設され、電線端末を締着するゴム締着部材を係止する係止突起部とを有する電線端末保護具において、前記保持体の係止突起部が、腕部の背面に立設された脚片と、脚片に横設され、両端にゴム締着部材を係止する係止鍔と中間にゴム締着部材を通すスリットを有する桁片とを組み合わせて略π型に形成され、前記ゴム締着部材が前記係止突起部の脚片間の空間部に係止されて、前記保持体に取り付けられることを特徴とするものである。
【００１０】
本発明の請求項２に記載された電線端末保護具は、請求項１記載のものにおいて、前記筒体が透明又は半透明樹脂を成形して他方の端部が閉塞された有底状に形成され、筒壁に電線端末の挿入位置を示すけがき線が設けられていることを特徴とするものである。
【００１１】
本発明の請求項３に記載された電線端末保護具は、請求項１記載のものにおいて、前記保持体における係止突起部の桁片が筒体側とは逆方向に反った形状に形成されていることを特徴とするものである。
【発明の効果】
【００１２】
本発明の請求項１に記載された電線端末保護具によると、前記ゴム締着部材が電線端末側ではなく、電線端末を筒体に保持する保持体の腕部に取り付けられており、ゴム締着部材を保持体の腕部と筒体に挿入された電線端末との外周に巻き付けて係止突起部の係止鍔に係止して締着するので、電線端末のゴム締着部材による締着と電線端末の電線端末保護具の筒体への保持とを同時に行うことが可能になる。従って、電線端末に対する電線端末保護具の装脱着作業が簡単になり、作業能率を向上させることができる。
【００１３】
また、電線端末から電線端末保護具を脱着する際には、ゴム締着部材を係止突起部の係止鍔から取り外してゴム締着部材の締着を解除するだけで良いので、電線端末に締着されたゴム締着部材を無傷状態で簡単に除去することが可能になるほか、ゴム締着部材が保持体に取り付けられているので、紛失することがない。従って、ゴム締着部材のリサイクル性を向上させ、電線端末保護具の再利用を推進することができる。
【００１４】
本発明の請求項２に記載された電線端末保護具によると、前記透明又は半透明樹脂で形成された有底状の筒体の筒壁にけがき線が設けられているので、筒体に挿入された電線端末の挿入位置を筒体外から確認することが容易になる。従って、電線端末の挿入不足によって保護が不十分になったり、挿入過度によって電線端末の先端が筒体の底部に接触し、先端が変形、損傷等したりするのを確実に防ぐことができる。
【００１５】
本発明の請求項３に記載された電線端末保護具によると、前記係止突起部の桁片が筒体側とは逆方向に反った形状に形成されているので、電線端末に電線端末保護具を装着するために、ゴム締着部材を保持体の腕部と筒体に挿入された電線端末との外周に巻き付けて自由端を係止突起部の係止鍔に引掛けて係止したり、電線端末から電線端末保護具を脱着するために、ゴム締着部材の自由端を係止鍔から取り外したりする作業性を向上させることができる。
【発明を実施するための最良の形態】
【００１６】
次に本発明を実施するための最良の形態を図面により詳細に説明する。図１は本発明に係る電線端末保護具の一実施形態を示すもので、（Ａ）は正面図、（Ｂ）は左側面図、（Ｃ）は平面図、図２は図１の電線端末保護具における保持体の係止突起部を拡大して示すもので、（Ａ）は正面図、（Ｂ）は左側面図、（Ｃ）は平面図、（Ｄ）は係止突起部にゴム締着部材が取り付けられた状態を示す平面図、図３はゴム締着部材を示す斜視図である。
【００１７】
本実施形態の電線端末保護具は、図１乃至図４に示すように、硬質の樹脂、例えば、硬質の透明又は半透明樹脂を成形して、一方の端部１１ａが開口し、他方の端部１１ｂが閉塞されて有底状の筒形（図示例は略円筒形）、即ち、キャップ（コップ）形に形成され、前記端部１１ａから複数本の電線端末１３（先端に端子を有するものを含む）を束ねた状態て挿入して保護する筒体１１と、前記筒体１１に設けられ、電線端末１３を筒体１１に保持する保持体１５とを備える。
【００１８】
筒体１１は更に一方の端部１１ａ側（開口側）が他方の端部１１ｂ（有底側）よりも大径に形成された筒型円錐台形状（筒型截頭円錐形状）に形成されると共に、一方の端部１１ａにその半周縁を他方の端部１１b側へ略４５度の傾斜角度でカットした面取部１１ｃが形成されている。このように、筒体１１の端部１１ａ（開口端部）に面取部１１ｃが形成されていると、電線端末１３を束ねた状態で筒体１１の内部に無理なく円滑に挿入することができるので好ましい。また、筒体１１の筒壁（側壁）の底部より少し上位位置及び面取部１１ｃより少し下位位置には、周方向に沿って電線端末１３の挿入位置を示すけがき線１７が設けられている。けがき線１７はマーカで描いたり、筒壁の外面を一部突出したり等して筒壁に設けられる。なお、本実施形態は他方の端部１１ｂが閉塞されているが開口して無底状になっていてもよい。
【００１９】
前記透明又は半透明樹脂で形成された有底状の筒体１１の筒壁にけがき線１７が設けられていると、筒体１１に挿入された電線端末１３の挿入位置を筒体１１外から確認することが容易になる。従って、電線端末１３の挿入不足によって保護が不十分になったり、挿入過度によって電線端末１３の先端が筒体１１の底部に接触し、先端が変形、損傷等したりするのを確実に防ぐことができるので好ましい。
【００２０】
前記保持体１５は、筒体１１の前記端部１１ａの前記面取部１１ｃとは１８０度反対側の部位から筒体１１の軸方向に延出し、内面がフラット面に、外面が外にわん曲する凸状面に形成された断面矩形の条片からなる腕部１９と、その腕部１９の背面に突設され、電線端末１３を締着するゴム締着部材２３を係止する係止突起部２１とを有する。なお、腕部１９の内面は内側に凹状面に形成してもよいが、本実施形態のようなフラット面若しくは内側に凸状面に形成したり、内面にゴムシート等を貼り付けたりすると、電線端末１３が１本の場合でもこれを容易に保持することができるので好ましい。
【００２１】
係止突起部２１は、図２（Ａ）乃至（Ｃ）に示すように、腕部１９の背面に幅方向に間隔をおいて立設された一対の脚片２５と、脚片２５の上部に横設され、両端にゴム締着部材２３の自由端を係止する係止鍔２９と中間（図示例は中央）にゴム締着部材２３を通すスリット３１を有する桁片２７とを組み合わせて略π型に形成される。
【００２２】
更に詳細に説明すると、桁片２７は筒体１１側とは逆方向に反った形状に形成されている。また、スリット３１はその入口に開口側に向かって幅が広がるテーパ状案内部３１ａが形成され、ゴム締着部材２３をスリット３１に案内するようになっている。スリット３１の出口側の幅はゴム締着部材２３を弾性圧縮しながらスリット３１に押し込んで通し、前記脚片２５間に形成された空間部３３に挿入し得るように、ゴム締着部材２３の輪ゴム部（後記）の寸法（厚さ）よりも少し狭くなるように形成され、空間部３３に挿入されたゴム締着部材２３が係止突起部２１からスリット３１を通して容易に外れないようになっている。そして、図２（Ｄ）に示すように、前記係止突起部２１の空間部３３にスリット３１を通して挿入されたゴム締着部材２３は係止突起部２１で係止され、前記保持体１５に取り付けられる。
【００２３】
ゴム締着部材２３は、図３に示すように、自然状態では、無端環状の輪ゴム部２３ａと、これの外周に突設された矢じり状の引掛把持部２３ｂとからなる。このゴム締着部材２３は、図４に示すように、輪ゴム部２３ａを二つ折りして二重に重ね、引掛把持部２３ｂを把持して、保持体１５の腕部１９と、筒体１１の内部に複数本束ねた状態で挿入された電線端末１３との外周に１回転又は２回転以上巻き付け（図示例は２回転巻き付け）、輪ゴム部２３ａの自由端のループ部分を係止突起部２１の一方の係止鍔２９に引掛けて係止する。これにより、電線端末１３を締着（結束）する作業と、電線端末１３を電線端末保護具における筒体１１の保持体に保持する作業を同時に行うことが可能になる。また、係止突起部２１は両端に係止鍔２９を有するので、ゴム締着部材２３を時計、反時計方向のいずれかの方向に巻き付けて係止鍔２９に係止することが可能になり、ゴム締着部材２３を係止鍔２９に引掛けて係止し易くなる。
【００２４】
なお、前記したように、係止突起部２１の桁片２７が筒体１１側とは逆方向に反った形状に形成されていると、電線端末１３に電線端末保護具を装着するために、ゴム締着部材２３を保持体１５の腕部１９と筒体１１に挿入された電線端末１３との外周に巻き付けて自由端を係止突起部２１の係止鍔２９に引掛けて係止したり、電線端末１３から電線端末保護具を脱着するために、ゴム締着部材２３の自由端を係止鍔２９から取り外したりする作業性を向上させることができるので好ましい。
【００２５】
本実施形態の電線端末保護具を用いて、電線端末１３を保護する場合には、電線端末１３を締着（結束）せず、束ねた状態で、電線端末保護具における筒体１１の内部に開口した一方の端部１１ａから挿入する。その後、保持体の係止突起部に取り付けられたゴム締着部材を、保持体の腕部とこれに支持された電線端末との外周に巻き付けて自由端を係止突起部の係止鍔に係止して締着（結束）すると同時に、電線端末を筒体で保持して保護する。図５は電線端末１３に電線端末保護具を装着して電線端末１３を保護した状態を示すもので、（Ａ）は正面図、（Ｂ）は側面図、（Ｃ）は背面図である。
【００２６】
本発明の電線端末保護具によると、上記実施形態の構成から明らかなように、ゴム締着部材２３が電線端末１３側ではなく、電線端末１３を筒体１１に保持する保持体１５の腕部１９に取り付けられており、ゴム締着部材２３を保持体１５の腕部１９と筒体１１に挿入された電線端末１３との外周に巻き付けて係止突起部２１の係止鍔２９に係止して締着するので、電線端末１３のゴム締着部材２３による締着と電線端末１３の電線端末保護具の筒体１１への保持とを同時に行うことが可能になる。従って、電線端末１３に対する電線端末保護具の装脱着作業が簡単になり、作業能率を向上させることができる。
【００２７】
また、電線端末１３から電線端末保護具を脱着する際には、ゴム締着部材２３を係止突起部２１の係止鍔２９から取り外してゴム締着部材２３の締着を解除するだけで良いので、電線端末１３に締着されたゴム締着部材２３を無傷状態で簡単に除去することが可能になるほか、ゴム締着部材２３が保持体１５に取り付けられているので、紛失することがない。従って、ゴム締着部材２３のリサイクル性を向上させ、電線端末保護具の再利用を推進することができる。
【図面の簡単な説明】
【００２８】
【図１】本発明に係る電線端末保護具の一実施形態を示すもので、（Ａ）は正面図、（Ｂ）は左側面図、（Ｃ）は平面図である。
【図２】図１における保持体の係止突起部を拡大して示すもので、（Ａ）は正面図、（Ｂ）は左側面図、（Ｃ）は平面図、（Ｄ）は係止突起部にゴム締着部材が取り付けられた状態を示す平面図である。
【図３】図１におけるゴム締着部材を示す斜視図である。
【図４】図３のゴム締着部材で電線端末の締着と電線端末保護具の筒体への保持を行う状態を示す概略図である。
【図５】電線端末に図１の電線端末保護具を装着して電線端末を保護した状態を示すもので、（Ａ）は正面図、（Ｂ）は側面図、（Ｃ）は背面図である。
【図６】従来の電線端末保護具とその使用状態を示す斜視図である。
【符号の説明】
【００２９】
１１    筒体
１１ａ  一方の端部
１１ｂ  他方の端部
１１ｃ  面取部
１３    電線端末
１５    保持体
１７    けがき線
１９    腕部
２１    係止突起部
２３    ゴム締着部材
２３ａ  輪ゴム部
２３ｂ  引掛把持部
２５    脚片
２７    桁片
２９    係止鍔
３１    スリット
３１ａ  テーパ状案内部
３３    空間部
【図１】
2006172793.tif 000003
【図２】
2006172793.tif 000004
【図３】
2006172793.tif 000005
【図４】
2006172793.tif 000006
【図５】
2006172793.tif 000007
【図６】
2006172793.tif 000008